(57)【特許請求の範囲】
【請求項１】
空気を吸い込み、吸い込んだ空気を吹き出す送風装置本体と、
前記送風装置本体とダクト部材を介して接続され、空気を吸い込む空気吸込口を有した空気吸込部と、
前記送風装置本体とダクト部材を介して接続され、空気を吹き出す空気吹出口を有した空気吹出部とを備え、
前記送風装置本体は、天井パネルの上面側に設置され、
前記空気吸込部は、天井パネルまたは壁面パネルに前記空気吸込口を露出させて設置され、
前記空気吹出部は、天井パネルまたは壁面パネルに前記空気吹出口を露出させて設置される空調装置であって、
前記空気吸込口と前記空気吹出口は、横方向の長さが縦方向の長さより長く構成され、
短手方向の長さが略同等に構成されると共に長手方向に一列状に配置され、
前記空気吸込口と前記空気吹出口は、前記天井パネルもしくは前記壁面パネルと略同一面に構成されており、
前記空気吸込口と前記空気吹出口の配置位置には、金属製もしくは樹脂製の枠部が設置され、
前記空気吸込口と前記空気吹出口には、グリルが枠部に取り付けられている
ことを特徴とする空調装置。
【請求項２】
空気を吸い込み、吸い込んだ空気を吹き出す送風装置本体と、
前記送風装置本体とダクト部材を介して接続され、空気を吸い込む空気吸込口を有した空気吸込部と、
前記送風装置本体とダクト部材を介して接続され、空気を吹き出す空気吹出口を有した空気吹出部とを備え、
前記送風装置本体は、天井パネルの上面側に設置され、
前記空気吸込部は、天井パネルまたは壁面パネルに前記空気吸込口を露出させて設置され、
前記空気吹出部は、天井パネルまたは壁面パネルに前記空気吹出口を露出させて設置される空調装置であって、
前記空気吹出部は、
吹出口グリルを取り付ける吹出口グリル取付部を備えると共に、
前記ダクト部材を介して前記送風装置本体から送り込まれた空気を前記空気吹出口から吹き出すか、屋外へ排出するかを切り替える風路切替手段と、
前記空気吹出口から吹き出す空気を加熱する加熱手段とを備えた
ことを特徴とする空調装置。
【請求項３】
前記空気吹出部は、前記空気吹出口から吹き出す空気の吹き出し方向を切り替える風向切替手段と、
前記空気吹出口から吹き出される空気の吹き出し方向を切り替えるように前記風向切替手段を制御する制御手段と、
前記空気吹出部が設置される室内の状態の変化を検出する状態変化検出手段とを備え、
前記制御手段は、
前記状態変化検出手段で室内の状態の変化を検出すると、運転モードに応じて前記風向切替手段により空気の吹き出し方向を切り替える
ことを特徴とする請求項１または２記載の空調装置。
【請求項４】
前記送風装置本体から吹き出す空気を分岐する空気分岐部を備え、
前記空気吹出部は、少なくとも第１の室内及び第２の室内に設置され、前記各空気吹出部は、前記ダクト部材を介して前記空気分岐部と接続され、
前記空気分岐部は、前記送風装置本体から吹き出す空気を送り込む前記空気吹出部を切り替える風路開閉手段を備えた
ことを特徴とする請求項１乃至３に何れか記載の空調装置。
【請求項５】
前記送風装置本体は、正イオン及び負イオンを発生させ、吹き出す空気にイオンを供給するイオン発生手段を備えた
ことを特徴とする請求項１乃至４に何れか記載の空調装置。
【請求項６】
前記空気吹出部は、室内の床面付近に前記空気吹出口を配置した
ことを特徴とする請求項１乃至５に何れか記載の空調装置。
【発明の詳細な説明】
【技術分野】
【０００１】
本発明は、浴室や脱衣所等のサニタリー空間等の室内に設置され、室内の暖房等を行う空調装置に関する。詳しくは、空気の吸込口及び吹出口の小型化を図り、室内で目立たないようにしたものである。
【背景技術】
【０００２】
従来より、浴室に温風を送出して暖房を行ったり、洗濯物の乾燥や換気を行う機能を備えた浴室用の空調装置が提供されている。このような浴室空調装置は、空気の吸込口や吹出口を有するフロントパネルが下面に備えられ、浴室の天井からフロントパネルが露出する形態で取り付けられる（例えば、特許文献１参照）。
【０００３】
【特許文献１】特開２００３−２９４２８９号公報
【発明の開示】
【発明が解決しようとする課題】
【０００４】
しかし、従来の浴室空調装置では、フロントパネルのサイズが大きいので、室内の外観を損なうという問題があった。すなわち、フロントパネルは、４５０ｍｍ×３５０ｍｍ程度の大きさがあるので、浴室の天井では相当の面積を専有することになり、外観を損なってしまうおそれがあった。
【０００５】
本発明は、このような課題を解決するためになされたもので、浴室や脱衣所等のサニタリー空間の外観を損なうことなく設置可能な空調装置を提供することを目的とする。
【課題を解決するための手段】
【０００６】
上述した課題を解決するため、本発明に係る第１の空調装置は、空気を吸い込み、吸い込んだ空気を吹き出す送風装置本体と、送風装置本体とダクト部材を介して接続され、空気を吸い込む空気吸込口を有した空気吸込部と、送風装置本体とダクト部材を介して接続され、空気を吹き出す空気吹出口を有した空気吹出部とを備え、送風装置本体は、天井パネルの上面側に設置され、空気吸込部は、天井パネルまたは壁面パネルに空気吸込口を露出させて設置され、空気吹出部は、天井パネルまたは壁面パネルに空気吹出口を露出させて設置される空調装置であって、空気吸込口と空気吹出口は、横方向の長さが縦方向の長さより長く構成され、短手方向の長さが略同等に構成されると共に長手方向に一列状に配置され、空気吸込口と空気吹出口は、天井パネルもしくは壁面パネルと略同一面に構成されており、空気吸込口と空気吹出口の配置位置には、金属製もしくは樹脂製の枠部が設置され、空気吸込口と空気吹出口には、グリルが枠部に取り付けられていることを特徴とするものである。
【０００７】
本発明に係る第２の空調装置は、空気を吸い込み、吸い込んだ空気を吹き出す送風装置本体と、送風装置本体とダクト部材を介して接続され、空気を吸い込む空気吸込口を有した空気吸込部と、送風装置本体とダクト部材を介して接続され、空気を吹き出す空気吹出口を有した空気吹出部とを備え、送風装置本体は、天井パネルの上面側に設置され、空気吸込部は、天井パネルまたは壁面パネルに空気吸込口を露出させて設置され、空気吹出部は、天井パネルまたは壁面パネルに空気吹出口を露出させて設置される空調装置であって、空気吹出部は、吹出口グリルを取り付ける吹出口グリル取付部を備えると共に、ダクト部材を介して送風装置本体から送り込まれた空気を空気吹出口から吹き出すか、屋外へ排出するかを切り替える風路切替手段と、空気吹出口から吹き出す空気を加熱する加熱手段とを備えたことを特徴とするものである。
本発明の第１又は第２の空調装置では、天井パネルあるいは壁面パネルに設置された空気吸込口から室内の空気を吸い込み、温風または送風を空気吹出口から室内に吹き出すことで、暖房運転を行う。
【発明の効果】
【０００８】
本発明の第１及び第２の空調装置によれば、空気吹出口を有する空気吹出部と空気吸込口を有する空気吸込部を送風装置本体と独立させ、送風装置本体は設置位置の天井パネルには露出させず、空気吹出口と空気吸込口は設置位置の天井パネルもしくは壁面パネルに露出させ、空気吸込口及び空気吹出口は、横方向の長さが縦方向の長さより長く構成され、短手方向の長さが略同等に構成されると共に、長手方向に一列状に配置され、天井パネルもしくは壁面パネルと略同一面に構成されており、空気吸込口と空気吹出口の配置位置には、金属製もしくは樹脂製の枠部が設置され、空気吸込口と空気吹出口には、グリルが枠部に取り付けられるものである。この構成によって、室内の天井パネルもしくは壁面パネルに露出する部分の面積を小さくすることができる。
【０００９】
これにより、室内の外観性を損なうことなく、空調装置を設置することができる。
【発明を実施するための最良の形態】
【００１０】
以下、図面を参照して本発明の空調装置としての浴室空調装置の実施の形態について説明する。
【００１１】
＜第１の実施の形態の浴室空調装置の構成例＞
図１は第１の実施の形態の浴室空調装置の一例を示す構成図で、図１（ａ）は、第１の実施の形態の浴室空調装置１Ａを備えた浴室５１の天井パネル５２ａを下面から見た平面図である。また、図１（ｂ）は、浴室空調装置１Ａを備えた浴室５１の天井部分を矢印Ａ方向から見た側面図、図１（ｃ）は浴室５１の天井部分を矢印Ｂ方向から見た側面図である。
【００１２】
第１の実施の形態の浴室空調装置１Ａは、送風装置本体２Ａと、吹出口ユニット３Ａと、吸込口ユニット４を備える。送風装置本体２Ａと吹出口ユニット３Ａ及び吸込口ユニット４は独立した形態で、送風装置本体２Ａと吹出口ユニット３Ａはダクト部材の一例である吹出ダクト５を介して接続され、送風装置本体２Ａと吸込口ユニット４はダクト部材の一例である吸込ダクト６を介して接続される。
【００１３】
吹出口ユニット３Ａは空気吹出部の一例で、浴室５１に空気を吹き出す循環吹出グリル７Ａを備える。循環吹出グリル７Ａは吹出口の一例で、一方の辺の長さが他方の辺の長さより長い細長い形態の長方形の外形を有する。
【００１４】
吸込口ユニット４は空気吸込部の一例で、浴室５１の空気を吸い込む循環・換気吸込グリル８を備える。循環・換気吸込グリル８は吸込口の一例で、一方の辺の長さが他方の辺の長さより長い細長い形態の長方形の外形を有する。
【００１５】
送風装置本体２Ａは、本例ではサニタリー空間である浴室５１の天井パネル５２ａ上に設置される。浴室５１の天井パネル５２ａにおいて、送風装置本体２Ａが設置される位置には開口部を非形成としてあり、送風装置本体２Ａは、浴室５１内に露出しない。
【００１６】
これに対して、吹出口ユニット３Ａは、浴室５１の天井パネル５２ａに形成された吹出グリル取付開口部５３ａから、循環吹出グリル７Ａを浴室５１内へ向けて露出させる形態で、浴室５１の天井パネル５２ａ上に設置される。
【００１７】
また、吸込口ユニット４は、浴室５１の天井パネル５２ａに形成された吸込グリル取付開口部５３ｂから、循環・換気吸込グリル８を浴室５１内へ向けて露出させる形態で、浴室５１の天井パネル５２ａ上に設置される。
【００１８】
循環吹出グリル７Ａと循環・換気吸込グリル８のサイズは、それぞれ送風装置本体２Ａの下面のサイズより小型に構成される。また、循環吹出グリル７Ａと循環・換気吸込グリル８の縦方向（短手方向）の長さは同じ長さに構成される。そして、循環吹出グリル７Ａと循環・換気吸込グリル８は、横方向（長手方向）に一列状に並ぶ配置となるように、吹出口ユニット３Ａと吸込口ユニット４の設置位置が設定される。
【００１９】
ここで、吹出口ユニット３Ａの循環吹出グリル７Ａ及び吸込口ユニット４の循環・換気吸込グリル８の設置位置には、アルミニウム等の金属製または樹脂製の枠部５２ｃが取り付けられ、循環吹出グリル７Ａ及び循環・換気吸込グリル８は、枠部５２ｃに嵌め込まれる形態で取り付けられる。また、枠部５２ｃの循環吹出グリル７Ａ及び循環・換気吸込グリル８が設置されない箇所については、アルミニウム等の金属製または樹脂製のカバー部材５２ｄが取り付けられて、意匠性を損なわないように配置されている。
【００２０】
＜送風装置本体の構成例＞
図２は送風装置本体２Ａの内部構成の一例を示す断面図で、次に、第１の実施の形態の浴室空調装置１Ａを構成する送風装置本体２Ａの構成の詳細について説明する。
【００２１】
送風装置本体２Ａは、ファンモータ９により回転駆動され、空気を吸い込んで吹き出すファン１０と、回転駆動されるファン１０により吸い込まれて吹き出す空気の風路を形成するファンケース１１を備える。
【００２２】
ファンモータ９は、多翼の羽根車で構成されるファン１０の回転軸が鉛直方向となる向きで、ファンケース１１に取り付けられる。
【００２３】
ファンケース１１は、送風装置本体２Ａの外形を構成する本体ケース１２に取り付けられ、ファン１０の軸方向に沿った下面を開口してファン吸込口１１ａが形成されると共に、ファン１０の接線方向に沿った空気の吹出方向にファン吹出口１１ｂが形成される。
【００２４】
本体ケース１２は扁平した直方体形状で、ファン吹出口１１ｂと連通した一の側面に、吹出ダクト５が取り付けられる吹出ダクト取付部１３を備える。また、本体ケース１２は、ファンケース１１の下部にファン吸込口１１ａと連通した吸込風路１４が形成され、吸込風路１４と連通した他の側面に、吸込ダクト６が取り付けられる吸込ダクト取付部１５を備える。ここで、図１では吸込ダクト取付部１５を対向する２側面に１個ずつ備えた例を説明しているが、吸込ダクト取付部１５の数は１個でも良いし、２個以上であってもよい。
【００２５】
送風装置本体２Ａは、ファンケース１１のファン吹出口１１ｂにイオン発生器１６を備える。イオン発生器１６はイオン発生手段の一例で、ファンケース１１によって形成される吹出風路にイオン放出面が露出する。
【００２６】
イオン発生器１６は、正イオンと負イオンの両方あるいは負イオンを発生する。正イオンと負イオンの発生の原理は、誘電体が介在するように対向させた一対の電極間に家庭用交流電源等から取った交流電圧を昇圧して印加することにより、コロナ放電を起こし、空気中の酸素ないしは水分が電離によりエネルギーを受けてイオン化し、Ｈ+（Ｈ2Ｏ）m（ｍは任意の自然数）と、Ｏ2-（Ｈ2Ｏ）n（ｎは任意の自然数）が主体のイオンを放出するものである。
【００２７】
これらＨ+（Ｈ2Ｏ）m及びＯ2-（Ｈ2Ｏ）nは、浮遊菌の表面に付着し、化学反応して活性種であるＨ2Ｏ2または・ＯＨを生成する。Ｈ2Ｏ2または・ＯＨは、極めて強力な活性を示すため、これらにより、空気中の浮遊細菌を取り囲んで不活化することができる。ここで、・ＯＨは活性種の１種であり、ラジカルのＯＨを示している。
【００２８】
これにより、ファンモータ９の回転と連動させてイオン発生器１６で略同数の正イオンと負イオンを発生させることで、浴室５１に略同数の正イオンと負イオンを供給することで、空気中の浮遊細菌を不活化して、カビの発生等を抑えることができる。
【００２９】
＜吹出口ユニットの構成例＞
図３は吹出口ユニット３Ａの内部構成の一例を示す断面図で、次に、第１の実施の形態の浴室空調装置１Ａを構成する吹出口ユニット３Ａの構成の詳細について説明する。
【００３０】
吹出口ユニット３Ａは、送風装置本体２Ａから吹き出す空気が通る風路が形成される吹出口ケース１７に、吹出ダクト５が接続される吹出ダクト取付部１８と、循環吹出グリル７Ａが取り付けられる吹出グリル取付部１９を備える。
【００３１】
吹出口ユニット３Ａは、空気を吸い込む循環・換気吸込口２０が吹出口ケース１７の一の側面に形成され、循環・換気吸込口２０と連通して吹出ダクト取付部１８が取り付けられる。
【００３２】
また、吹出口ユニット３Ａは、空気を吹き出す換気吹出口２１が、循環・換気吸込口２０と対向して吹出口ケース１７の他の側面に形成され、換気吹出口２１と連通して、排気ダクト２２が接続される排気ダクト取付部２３が取り付けられる。
【００３３】
更に、吹出口ユニット３Ａは、空気を吹き出す循環吹出口２４が吹出口ケース１７の下部に形成され、循環吹出口２４に吹出グリル取付部１９が取り付けられると共に、循環吹出口２４にヒータ２５を備える。
【００３４】
ヒータ２５は加熱手段の一例で、例えばＰＴＣヒータ等で構成され、ヒータ２５に通電されると、循環吹出口２４を通る空気が加熱され、吹出グリル取付部１９に取り付けられた循環吹出グリル７Ａから温風が吹き出す。
【００３５】
吹出口ユニット３Ａは、吹出口ケース１７内に形成される風路を切り替える風路切替ダンパ２６を備える。風路切替ダンパ２６は風路切替手段の一例で、ダンパモータ２７により軸２６ａを支点に回転する。そして、吹出口ケース１７内には、風路切替ダンパ２６の位置によって、循環・換気吸込口２０から循環吹出口２４へ連通した循環風路２８ａか、循環・換気吸込口２０から換気吹出口２１へ連通した排気風路２８ｂが形成される。
【００３６】
すなわち、風路切替ダンパ２６が図２に実線で示す全閉位置にあると、換気吹出口２１への風路が遮蔽され、循環・換気吸込口２０から循環吹出口２４へ連通した循環風路２８ａが形成される。この風路切替ダンパ２６の全閉となる位置を循環位置と称す。
【００３７】
これに対して、風路切替ダンパ２６が図２に一点鎖線で示す全開位置にあると、循環吹出口２４への風路が遮蔽され、循環・換気吸込口２０から換気吹出口２１へ連通した排気風路２８ｂが形成される。この風路切替ダンパ２６が全開となる位置を換気位置と称す。
【００３８】
更に、風路切替ダンパ２６が図２に二点鎖線で示す循環位置と換気位置の中間位置にあると、循環・換気吸込口２０から循環吹出口２４へ連通した循環風路２８ａと、循環・換気吸込口２０から換気吹出口２１へ連通した排気風路２８ｂの双方が形成される。この風路切替ダンパ２６の中間位置を循環換気位置と称す。
【００３９】
＜吸込口ユニットの構成例＞
図４は吸込口ユニット４の内部構成を示す断面図で、次に、第１の実施の形態の浴室空調装置１Ａを構成する吸込口ユニット４の構成の詳細について説明する。
【００４０】
吸込口ユニット４は、吸込ダクト６が取り付けられるチャンバー２９と、循環・換気吸込グリル８が取り付けられる吸込グリル取付部３０を備える。吸込グリル取付部３０は、チャンバー２９の下部に形成され、循環・換気吸込グリル８は、チャンバー２９を介して吸込ダクト６と連通される。
【００４１】
＜第１の実施の形態の浴室空調装置の設置例＞
次に、図１等を参照して第１の実施の形態の浴室空調装置１Ａの設置例について説明する。浴室５１の天井パネル５２ａには、吹出口ユニット３Ａ及び吸込口ユニット４の設置位置に、枠部５２ｃが取り付けられ、吹出口ユニット３Ａの設置位置には、吹出グリル取付部１９の位置に合わせて吹出グリル取付開口部５３ａが開けられる。また、各吸込口ユニット４の設置位置には、吸込グリル取付部３０の位置合わせて吸込グリル取付開口部５３ｂが開けられる。なお、送風装置本体２Ａの設置位置には開口部の形成は不要である。
【００４２】
吹出グリル取付開口部５３ａと吸込グリル取付開口部５３ｂは、一列に並んで配置される。吹出グリル取付開口部５３ａは、循環吹出グリル７Ａの形状に合わせて細長い形態の長方形で、同様に、吸込グリル取付開口部５３ｂは、循環・換気吸込グリル８の形状に合わせて細長い形態の長方形である。
【００４３】
浴室空調装置１Ａは、例えば天井パネル５２ａの上面の所望の位置に図示しない枠体等を設置し、枠体に送風装置本体２Ａを固定することで、送風装置本体２Ａが天井パネル５２ａの上面側に設置される。
【００４４】
ここで、送風装置本体２Ａは、吸込グリルや吹出グリルを備えていないので、天井パネル５２ａにおいて、送風装置本体２Ａの設置位置には開口部は不要である。このため、浴室５１には送風装置本体２Ａは露出しない。
【００４５】
また、浴室空調装置１Ａは、吹出グリル取付開口部５３ａの位置に合わせて天井パネル５２ａの上面に図示しない枠体等を設置し、枠体に吹出口ユニット３Ａを固定することで、吹出口ユニット３Ａは、吹出グリル取付部１９が吹出グリル取付開口部５３ａと対向する位置で天井パネル５２ａの上面側に設置される。そして、吹出口ユニット３Ａは、枠部５２ｃに嵌め込まれる形態で、吹出グリル取付部１９に循環吹出グリル７Ａが取り付けられる。
【００４６】
更に、浴室空調装置１Ａは、吸込グリル取付開口部５３ｂに吸込口ユニット４を固定することで、吸込口ユニット４は、吸込グリル取付部３０が吸込グリル取付開口部５３ｂと対向する位置で天井パネル５２ａの上面側に設置される。そして、吸込口ユニット４は、枠部５２ｃに嵌め込まれる形態で、吸込グリル取付部３０に循環・換気吸込グリル８が取り付けられる。
【００４７】
これにより、浴室空調装置１Ａは、浴室５１の天井パネル５２ａに形成された吹出グリル取付開口部５３ａから循環吹出グリル７Ａを浴室５１側へ露出させる形態で、吹出口ユニット３Ａが浴室５１の天井パネル５２ａに設置される。また、浴室５１の天井パネル５２ａに形成された吸込グリル取付開口部５３ｂから循環・換気吸込グリル８を浴室５１側へ露出させる形態で、吸込口ユニット４が浴室５１の天井パネル５２ａに設置される。
【００４８】
よって、浴室空調装置１Ａにおいて、循環吹出グリル７Ａと循環・換気吸込グリル８は一列に並んで配置される。また、循環吹出グリル７Ａと循環・換気吸込グリル８は、それぞれ天井パネル５２ａに対して略同一面となるように取り付けられる。更に、枠部５２ｃの循環吹出グリル７Ａ及び循環・換気吸込グリル８が設置されない箇所については、カバー部材５２ｄが取り付けられて、天井パネル５２ａに対して略同一面となるように構成される。
【００４９】
なお、各ユニットの設置形態としては、アンカーボルト等を使用して天井裏に吊り下げる形態でも良い。
【００５０】
送風装置本体２Ａは、吹出ダクト取付部１３に吹出ダクト５の一端側が接続され、吹出口ユニット３Ａは、吹出ダクト取付部１８に吹出ダクト５の他端側が接続されることで、送風装置本体２Ａと吹出口ユニット３Ａは、吹出ダクト５を介して接続される。
【００５１】
また、吹出口ユニット３Ａは、排気ダクト取付部２３に排気ダクト２２が接続されることで、浴室５１が設置される図示しない建物の屋外とつながる。
【００５２】
更に、送風装置本体２Ａは、吸込ダクト取付部１５に吸込ダクト６の一端側が接続され、吸込口ユニット４は、チャンバー２９に吸込ダクト６の他端側が接続されることで、送風装置本体２Ａと吸込口ユニット４は、吸込ダクト６を介して接続される。
【００５３】
なお、循環吹出グリル７Ａと循環・換気吸込グリル８は、枠部５２ｃ内にカバー部材５２ｄと共に取り付けられる構成としたが、後述する図１０の設置例のように、枠部とカバー部材を設けずに、直接天井パネル５２ａに取り付けるようにしても良い。
【００５４】
また、吹出口ユニット３Ａ及び吸込口ユニット４は、浴室５１等の室内の壁際等の天井パネル５２ａに設置することで、循環吹出グリル７Ａと循環・換気吸込グリル８が天井パネル５２ａの端部に配置されるようにして、一層目立たなくすることも可能である。
【００５５】
＜第１の実施の形態の浴室空調装置の制御機能例＞
図５は第１の実施の形態の浴室空調装置１Ａの制御系の一例を示す機能ブロック図である。
【００５６】
浴室空調装置１Ａは、ＣＰＵやメモリ等で構成される制御部６１Ａに、操作部６２Ａと、送風装置本体２Ａのファンモータ９及びイオン発生器１６と、吹出口ユニット３Ａのヒータ２５及びダンパモータ２７等が接続される。
【００５７】
制御部６１Ａは制御手段の一例で、図示しないメモリ等に格納されたプログラムに従って、例えば暖房運転モード、換気運転モード、乾燥運転モード及び涼風運転モードを実行する。これら運転モードは、入浴者等の利用者が操作部６２Ａを操作すること等により選択され、制御部６１Ａは、選択された運転モードを実行するプログラムに従いファンモータ９、イオン発生器１６、ヒータ２５及びダンパモータ２７等を制御する。
【００５８】
操作部６２Ａは、浴室空調装置１Ａ本体と独立したリモートコントロール装置で、例えば浴室５１に隣接した図示しない洗面所の壁面等に取り付けられ、送風装置本体２Ａ等に実装される制御部６１Ａとは例えば電気ケーブルで接続される。
【００５９】
＜第１の実施の形態の浴室空調装置の動作例＞
次に、第１の実施の形態の浴室空調装置１Ａの動作を各図を参照して説明する。浴室空調装置１Ａの制御部６１Ａは、操作部６２Ａにおける操作で暖房運転モードが選択されると、吹出口ユニット３Ａのダンパモータ２７を駆動して、風路切替ダンパ２６を循環位置にする。そして、送風装置本体２Ａのファンモータ９を駆動してファン１０を回転させると共に、吹出口ユニット３Ａのヒータ２５を駆動する。
【００６０】
送風装置本体２Ａにおいて、ファン１０が回転すると、ファンケース１１のファン吸込口１１ａから空気が吸い込まれる。送風装置本体２Ａと吸込口ユニット４は、吸込ダクト６を介して接続され、ファン吸込口１１ａは、吸込風路１４及び吸込ダクト６により吸込口ユニット４と連通している。
【００６１】
これにより、ファン１０が回転すると、吸込口ユニット４の循環・換気吸込グリル８から、浴室５１内の空気が吸込ダクト６を介して送風装置本体２Ａに吸い込まれる。
【００６２】
送風装置本体２Ａに吸い込まれた浴室５１内の空気は、ファンケース１１のファン吹出口１１ｂから吹き出す。送風装置本体２Ａと吹出口ユニット３Ａは、吹出ダクト５を介して接続され、ファン吹出口１１ｂは、吹出ダクト５により吹出口ユニット３Ａと連通している。
【００６３】
これにより、ファン１０が回転して吸込口ユニット４から吸い込んだ浴室５１内の空気が、吹出ダクト５を介して吹出口ユニット３Ａに送り込まれる。
【００６４】
暖房運転モードでは、吹出口ユニット３Ａにおいて風路切替ダンパ２６が循環位置にあるので、吹出口ケース１７内には、吹出ダクト５と接続された循環・換気吸込口２０から循環吹出口２４へと連通した循環風路２８ａが形成されている。
【００６５】
これにより、吹出口ユニット３Ａに送り込まれた空気は、循環風路２８ａを通って循環吹出グリル７Ａから浴室５１内に吹き出される。
【００６６】
そして、ヒータ２５は循環吹出グリル７Ａの手前の循環吹出口２４に配置されるので、ヒータ２５に通電されて加熱されると、循環吹出口２４を通る空気が温められて循環吹出グリル７Ａから吹き出す。
【００６７】
これにより、暖房運転モードでは、浴室５１内の空気を循環させながら浴室５１内を暖房して、温度を上げることができる。
【００６８】
浴室空調装置１Ａの制御部６１Ａは、操作部６２Ａにおける操作で換気運転モードが選択されると、吹出口ユニット３Ａのダンパモータ２７を駆動して、風路切替ダンパ２６を換気位置にする。そして、送風装置本体２Ａのファンモータ９を駆動してファン１０を回転させる。換気運転モードでは、吹出口ユニット３Ａのヒータ２５は駆動しない。
【００６９】
送風装置本体２Ａにおいて、ファン１０が回転すると、ファンケース１１のファン吸込口１１ａから空気が吸い込まれる。上述したように、送風装置本体２Ａは、ファン吸込口１１ａが吸込ダクト６を介して吸込口ユニット４と連通しているので、吸込口ユニット４の循環・換気吸込グリル８から、浴室５１内の空気が吸込ダクト６を介して送風装置本体２Ａに吸い込まれる。
【００７０】
送風装置本体２Ａに吸い込まれた浴室５１内の空気は、ファンケース１１のファン吹出口１１ｂから吹き出す。上述したように、送風装置本体２Ａは、ファン吹出口１１ｂが吹出ダクト５を介して吹出口ユニット３Ａと連通しているので、吸込口ユニット４から吸い込んだ浴室５１内の空気が、吹出ダクト５を介して吹出口ユニット３Ａに送り込まれる。
【００７１】
換気運転モードでは、吹出口ユニット３Ａにおいて風路切替ダンパ２６が換気位置にあるので、吹出口ケース１７内には、吹出ダクト５と接続された循環・換気吸込口２０から換気吹出口２１へと連通した排気風路２８ｂが形成されている。
【００７２】
これにより、吹出口ユニット３Ａに送り込まれた空気は、排気風路２８ｂを通り排気ダクト２２から屋外へ排出される。また、浴室５１内の空気が屋外に排出されることで、図示しない浴室ドア等に設けた空気取入口から、洗面所等の空気が吸い込まれる。
【００７３】
これにより、換気運転モードでは、浴室５１内の湯気や湿気を排出して結露等を抑制し、カビの発生を抑えることができる。
【００７４】
なお、浴室空調装置１Ａでは、換気運転モードとイオンの発生を連動させた除菌換気運転モードを備えても良い。
【００７５】
除菌換気運転モードでは、制御部６１Ａは、吹出口ユニット３Ａのダンパモータ２７を駆動して、風路切替ダンパ２６を循環換気位置にする。そして、送風装置本体２Ａのファンモータ９を駆動してファン１０を回転させると共に、イオン発生器１６を駆動して正イオンと負イオンの双方を発生させる。除菌換気運転モードでも、吹出口ユニット３Ａのヒータ２５は駆動しない。
【００７６】
送風装置本体２Ａにおいて、ファン１０が回転すると、吸込口ユニット４の循環・換気吸込グリル８から、浴室５１内の空気が吸込ダクト６を介して送風装置本体２Ａに吸い込まれ、送風装置本体２Ａに吸い込まれた浴室５１内の空気は、吹出ダクト５を介して吹出口ユニット３Ａに送り込まれる。
【００７７】
除菌換気運転モードでは、吹出口ユニット３Ａにおいて風路切替ダンパ２６が循環換気位置にあるので、吹出口ケース１７内には、循環風路２８ａと排気風路２８ｂの双方が形成されている。
【００７８】
これにより、吹出口ユニット３Ａに送り込まれた空気の一部は、循環風路２８ａを通って循環吹出グリル７Ａから浴室５１内に吹き出される。そして、吹出口ユニット３Ａに送り込まれる空気には、イオン発生器１６で正イオンと負イオンの双方が供給されているので、浴室５１に略同数の正イオンと負イオンを含む空気が吹き出される。
【００７９】
また、吹出口ユニット３Ａに送り込まれた空気の一部は、排気風路２８ｂを通り排気ダクト２２から屋外へ排出される。更に、浴室５１内の空気が屋外に排出されることで、図示しない浴室ドア等に設けた空気取入口から、洗面所等の空気が吸い込まれる。
【００８０】
これにより、除菌換気運転モードでは、浴室５１内の換気を行いながら、循環させる空気に含まれる浮遊細菌と、浴室５１内の空気中の浮遊細菌を不活性化して、カビ菌の繁殖を防ぐことができる。なお、除菌換気運転モードでは、風路切替ダンパ２６を循環位置として、換気を行わず、室内空気の循環のみで正イオンと負イオンの双方を発生させるようにしても良い。
【００８１】
浴室空調装置１Ａの制御部６１Ａは、操作部６２Ａにおける操作で乾燥運転モードが選択されると、吹出口ユニット３Ａのダンパモータ２７を駆動して、風路切替ダンパ２６を循環換気位置にする。そして、送風装置本体２Ａのファンモータ９を駆動してファン１０を回転させると共に、吹出口ユニット３Ａのヒータ２５を駆動する。
【００８２】
送風装置本体２Ａにおいて、ファン１０が回転すると、吸込口ユニット４の循環・換気吸込グリル８から、浴室５１内の空気が吸込ダクト６を介して送風装置本体２Ａに吸い込まれ、送風装置本体２Ａに吸い込まれた浴室５１内の空気は、吹出ダクト５を介して吹出口ユニット３Ａに送り込まれる。
【００８３】
乾燥運転モードでは、吹出口ユニット３Ａにおいて風路切替ダンパ２６が循環換気位置にあるので、吹出口ケース１７内には、循環風路２８ａと排気風路２８ｂの双方が形成されている。
【００８４】
これにより、吹出口ユニット３Ａに送り込まれた空気の一部は、循環風路２８ａを通って循環吹出グリル７Ａから浴室５１内に吹き出される。そして、ヒータ２５は循環吹出グリル７Ａの手前の循環吹出口２４に配置されるので、ヒータ２５に通電されて加熱されると、循環吹出口２４を通る空気が温められて循環吹出グリル７Ａから吹き出す。
【００８５】
また、吹出口ユニット３Ａに送り込まれた空気の一部は、排気風路２８ｂを通り排気ダクト２２から屋外へ排出される。更に、浴室５１内の空気が屋外に排出されることで、図示しない浴室ドア等に設けた空気取入口から、洗面所等の空気が吸い込まれる。
【００８６】
これにより、乾燥運転モードでは、浴室５１内に温風を吹き出して、図示しないランドリパイプに掛けられた洗濯物を乾燥させることができる。また、浴室５１内の空気の一部は屋外に排気されて換気が行われるので、湿気等を排出して、洗濯物の乾燥を促進することができる。
【００８７】
なお、乾燥運転モードの後に、上述した除菌換気運転モードを所定時間実行しても良い。乾燥運転モードの後に除菌換気運転モードを実行すれば、衣類等が掛けられている浴室５１内に、正イオンと負イオンの双方を含む空気が吹き出されるので、衣類等におけるカビ菌の増殖を防ぐことができる。
【００８８】
浴室空調装置１Ａの制御部６１Ａは、操作部６２Ａにおける操作で涼風運転モードが選択されると、吹出口ユニット３Ａのダンパモータ２７を駆動して、風路切替ダンパ２６を循環換気位置にする。そして、送風装置本体２Ａのファンモータ９を駆動してファン１０を回転させる。涼風運転モードでは、吹出口ユニット３Ａのヒータ２５は駆動しない。
【００８９】
送風装置本体２Ａにおいて、ファン１０が回転すると、吸込口ユニット４の循環・換気吸込グリル８から、浴室５１内の空気が吸込ダクト６を介して送風装置本体２Ａに吸い込まれ、送風装置本体２Ａに吸い込まれた浴室５１内の空気は、吹出ダクト５を介して吹出口ユニット３Ａに送り込まれる。
【００９０】
涼風運転モードでは、吹出口ユニット３Ａにおいて風路切替ダンパ２６が循環換気位置にあるので、吹出口ケース１７内には、循環風路２８ａと排気風路２８ｂの双方が形成されている。
【００９１】
これにより、吹出口ユニット３Ａに送り込まれた空気の一部は、循環風路２８ａを通って循環吹出グリル７Ａから浴室５１内に吹き出される。涼風運転モードでは、ヒータ２５に通電しないことで、浴室５１内の温度に応じた風が循環吹出グリル７Ａから吹き出される。
【００９２】
また、吹出口ユニット３Ａに送り込まれた空気の一部は、排気風路２８ｂを通り排気ダクト２２から屋外へ排出される。更に、浴室５１内の空気が屋外に排出されることで、図示しない浴室ドア等に設けた空気取入口から、洗面所等の空気が吸い込まれる。
【００９３】
これにより、涼風運転モードでは、浴室５１内に涼風を吹き出して、扇風機として利用することができる。また、浴室５１内の空気の一部は屋外に排気されて換気が行われるので、湿気等を排出することができる。
【００９４】
＜第１の実施の形態の浴室空調装置の効果＞
以上説明した第１の実施の形態の浴室空調装置１Ａでは、浴室５１の天井パネル５２ａには、送風装置本体２Ａは露出せず、循環吹出グリル７Ａと、循環・換気吸込グリル８が露出する形態である。
【００９５】
これにより、浴室空調装置１Ａにおいて、浴室５１の天井パネル５２ａに露出する部分の面積を小さくすることができるので、浴室５１の外観性を損なうことなく、浴室空調装置１Ａを設置することができる。
【００９６】
また、送風装置本体２Ａに対して、吹出口ユニット３Ａ及び吸込口ユニット４を独立させたので、循環吹出グリル７Ａと循環・換気吸込グリル８の設置位置の自由度が向上し、浴室のサイズ等を問わず、浴室空調装置１Ａの設置が可能で、例えば浴槽を持たないシャワー室等でも設置が可能である。
【００９７】
更に、循環吹出グリル７Ａと循環・換気吸込グリル８を同じ幅として一列状に配置すれば、視覚的に目立たなくすることができる。また、循環吹出グリル７Ａと循環・換気吸込グリル８を、天井パネル５２ａから突出せずに同一面に配置することによっても、視覚的に目立たなくすることができる。
【００９８】
＜第２の実施の形態の浴室空調装置の構成例＞
図６は第２の実施の形態の浴室空調装置の一例を示す構成図である。ここで、図６は、第２の実施形態の浴室空調装置１Ｂを備えた浴室５１等のサニタリー空間５５の天井を下面から見た平面図である。
【００９９】
第２の実施の形態の浴室空調装置１Ｂは、送風装置本体２Ａと、吹出口ユニット３Ａ，３Ｂと、吸込口ユニット４ａ，４ｂと、分岐チャンバー３１を備え、吹出口ユニット３Ｂを浴室５１以外の洗面所（脱衣所）５６やトイレ５７等のサニタリー空間５５に設置して、多室暖房を可能にしたものである。
【０１００】
なお、第２の実施の形態の浴室空調装置１Ｂを構成する送風装置本体２Ａは図２で説明した構成と同じであり、吹出口ユニット３Ａは図３で説明した構成と同じであり、吸込口ユニット４ａ，４ｂは図４で説明した構成と同じであるので、ここでは説明を省略する。
【０１０１】
送風装置本体２Ａと吹出口ユニット３Ａ，３Ｂ及び吸込口ユニット４ａ，４ｂは独立した形態で、送風装置本体２Ａと、吹出口ユニット３Ａ及び吹出口ユニット３Ｂは、分岐チャンバー３１及び吹出ダクト５を介して接続される。また、送風装置本体２Ａと吸込口ユニット４ａ，４ｂは吸込ダクト６を介して接続される。
【０１０２】
吹出口ユニット３Ｂは空気吹出部の一例で、室内に空気を吹き出す循環吹出グリル７Ａを備える。吹出口ユニット３Ｂ及び吸込口ユニット４ｂが設置される洗面所５６の天井パネル５６ａには、枠部５２ｃが取り付けられると共に、図示しない吹出グリル取付開口部及び吸込グリル取付開口部が形成され、吹出口ユニット３Ｂは、循環吹出グリル７Ａが枠部５２ｃに嵌め込まれ、洗面所５６へ向けて露出させる形態で、洗面所５６の天井パネル５６ａ上に設置される。また、吸込口ユニット４ｂは、循環・換気吸込グリル８が枠部５２ｃに嵌め込まれ、洗面所５６へ向けて露出させる形態で、洗面所５６の天井パネル５６ａ上に設置される。
【０１０３】
同様に、吹出口ユニット３Ｂが設置されるトイレ５７の天井パネル５７ａには、枠部５２ｃが取り付けられると共に、図示しない吹出グリル取付開口部が形成され、吹出口ユニット３Ｂは、循環吹出グリル７Ａが枠部５２ｃに挟み込まれ、トイレ５７へ向けて露出させる形態で、トイレ５７の天井パネル５７ａ上に設置される。
【０１０４】
なお、各グリルが取り付けられる枠部５２ｃのグリルの非設置位置には、カバー部材５２ｄが取り付けられる。
【０１０５】
ここで、図６では、洗面所５６に吸込口ユニット４ｂを設置したが、浴室５１に２個の吸込口ユニット４ａ，４ｂを設置しても良い。
【０１０６】
＜吹出口ユニットの構成例＞
図７は吹出口ユニット３Ｂの内部構成の一例を示す断面図で、次に、第２の実施の形態の浴室空調装置１Ｂを構成する吹出口ユニット３Ｂの構成の詳細について説明する。
【０１０７】
吹出口ユニット３Ｂは、送風装置本体２Ａから吹き出す空気が通る風路が形成される吹出口ケース３２に、吹出ダクト５が接続される吹出ダクト取付部３３と、循環吹出グリル７Ａが取り付けられる吹出グリル取付部３４を備える。
【０１０８】
吹出口ユニット３Ｂは、空気を吸い込む循環吸込口３５が吹出口ケース３２の一の側面に形成され、循環吸込口３５と連通して吹出ダクト取付部３３が取り付けられる。
【０１０９】
また、吹出口ユニット３Ｂは、空気を吹き出す循環吹出口３６が吹出口ケース３２の下部に形成され、循環吹出口３６に吹出グリル取付部３４が取り付けられると共に、循環吹出口３６にヒータ３７を備える。
【０１１０】
ヒータ３７は加熱手段の一例で、例えばＰＴＣヒータ等で構成され、ヒータ３７に通電されると、循環吹出口３６を通る空気が加熱され、吹出グリル取付部３４に取り付けられた循環吹出グリル７Ａから温風が吹き出す。
【０１１１】
＜分岐チャンバーの構成例＞
図８は分岐チャンバー３１の内部構成の一例を示す断面図で、次に、第２の実施の形態の浴室空調装置１Ｂを構成する分岐チャンバー３１の構成の詳細について説明する。
【０１１２】
分岐チャンバー３１は空気分岐部の一例で、送風装置本体２Ａから吹き出す空気が通る風路が形成される分岐ケース３８に、吹出口ユニット３Ａとつながる吹出ダクト５が接続される主吹出ダクト取付部３９と、吹出口ユニット３Ｂとつながる吹出ダクト５が接続される副吹出ダクト取付部４０を備える。
【０１１３】
分岐チャンバー３１は、空気を吸い込む循環・換気吸込口４１が分岐ケース３８の一の側面に形成され、循環・換気吸込口４１が図２に示す送風装置本体２Ａのファン吹出口１１ｂと接続される。
【０１１４】
また、分岐チャンバー３１は、空気を吹き出す循環・換気吹出口４２が、循環・換気吸込口４１と対向して分岐ケース３８の他の側面に形成され、循環・換気吹出口４２に主吹出ダクト取付部３９が取り付けられる。
【０１１５】
更に、分岐チャンバー３１は、空気を吹き出す循環吹出口４３が分岐ケース３８の他の２側面に形成され、各循環吹出口４３に副吹出ダクト取付部４０が取り付けられる。また、各循環吹出口４３に風路開閉ダンパ４４を備える。
【０１１６】
風路開閉ダンパ４４は風路開閉手段の一例で、ダンパモータ４５により軸４４ａを支点に回転し、循環吹出口４３の開閉を行う。すなわち、風路開閉ダンパ４４が図８に実線で示す開位置にあると、循環吹出口４３が開放され、循環・換気吸込口４１から、循環・換気吹出口４２と循環吹出口４３への双方の風路が形成される。
【０１１７】
これに対して、風路開閉ダンパ４４が図８に一点鎖線で示す閉位置にあると、循環吹出口４３は閉鎖され、循環・換気吸込口４１から循環・換気吹出口４２への風路のみが形成される。
【０１１８】
＜第２の実施の形態の浴室空調装置の設置例＞
次に、図６等を参照して第２の実施の形態の浴室空調装置１Ｂの設置例について説明する。ここで、浴室５１に設置される送風装置本体２Ａと吹出口ユニット３Ａ及び吸込口ユニット４ａの設置例は、第１の実施の形態の浴室空調装置１Ａと同じである。
【０１１９】
なお、送風装置本体２Ａは、吹出ダクト５に代えて分岐チャンバー３１が接続され、分岐チャンバー３１に吹出ダクト５が接続されて、吹出口ユニット３Ａが接続される。
【０１２０】
洗面所５６の天井パネル５６ａには、吹出口ユニット３Ｂ及び吸込口ユニット４ｂの設置位置に枠部５２ｃが取り付けられ、吹出口ユニット３Ｂの設置位置には図示しない吹出グリル取付開口部が開けられ、吸込口ユニット４ｂの設置位置には図示しない吸込グリル取付開口部が開けられる。
【０１２１】
吹出口ユニット３Ｂは、図示しない枠体等を介して天井パネル５６ａの上面に設置される。そして、吹出口ユニット３Ｂは、吹出グリル取付部３４に循環吹出グリル７Ａが取り付けられる。
【０１２２】
これにより、浴室空調装置１Ｂは、循環吹出グリル７Ａが枠体５２ｃに嵌め込まれ、洗面所５６側へ露出させる形態で、吹出口ユニット３Ｂが洗面所５６の天井パネル５６ａに設置される。
【０１２３】
また、吸込口ユニット４ｂは、天井パネル５６ａの上面に設置され、循環・換気吸込グリル８が取り付けられる。
【０１２４】
これにより、浴室空調装置１Ｂは、循環・換気吸込グリル８が枠体５２ｃに嵌め込まれ、洗面所５６側へ露出させる形態で、吸込口ユニット４ｂが洗面所５６の天井パネル５６ａに設置される。
【０１２５】
同様に、トイレ５７の天井パネル５７ａには、吹出口ユニット３Ｂの設置位置に枠部５２ｃが取り付けられると共に、図示しない吹出グリル取付開口部が開けられ、吹出口ユニット３Ｂは、図示しない枠体等を介して天井パネル５７ａの上面に設置される。そして、吹出口ユニット３Ｂは、吹出グリル取付部３４に循環吹出グリル７Ａが取り付けられる。
【０１２６】
これにより、浴室空調装置１Ｂは、循環吹出グリル７Ａが枠体５２ｃに嵌め込まれ、トイレ５７側へ露出させる形態で、吹出口ユニット３Ｂがトイレ５７の天井パネル５７ａに設置される。
【０１２７】
各吹出口ユニット３Ｂは、分岐チャンバー３１の副吹出ダクト取付部４０に接続された吹出ダクト５が、吹出ダクト取付部３３に接続されることで、送風装置本体２Ａと吹出口ユニット３Ｂは、分岐チャンバー３１と吹出ダクト５を介して接続される。
【０１２８】
＜第２の実施の形態の浴室空調装置の制御機能例＞
図９は第２の実施の形態の浴室空調装置１Ｂの制御系の一例を示す機能ブロック図である。
【０１２９】
浴室空調装置１Ｂは、ＣＰＵやメモリ等で構成される制御部６１Ｂに、操作部６２Ｂと、送風装置本体２Ａのファンモータ９及びイオン発生器１６と、吹出口ユニット３Ａのヒータ２５及びダンパモータ２７と、吹出口ユニット３Ｂのヒータ３７と、分岐チャンバー３１のダンパモータ４５等が接続される。
【０１３０】
制御部６１Ｂは制御手段の一例で、図示しないメモリ等に格納されたプログラムに従って、例えば暖房運転モード、換気運転モード、乾燥運転モード及び涼風運転モードを実行する。これら運転モードは、入浴者等の利用者が操作部６２Ｂを操作すること等により選択され、制御部６１Ｂは、選択された運転モードを実行するプログラムに従いファンモータ９、イオン発生器１６、ヒータ２５，３７及びダンパモータ２７，４５等を制御する。
【０１３１】
操作部６２Ｂは、浴室空調装置１Ｂ本体と独立したリモートコントロール装置で、例えば浴室５１に隣接した洗面所５６の壁面等に取り付けられ、送風装置本体２Ａ等に実装される制御部６１Ｂとは例えば電気ケーブルで接続される。
【０１３２】
＜第２の実施の形態の浴室空調装置の動作例＞
次に、第２の実施の形態の浴室空調装置１Ｂの動作を各図を参照して説明する。浴室空調装置１Ｂの制御部６１Ｂは、操作部６２Ｂにおける操作で暖房運転モードが選択されると、吹出口ユニット３Ａのダンパモータ２７を駆動して、風路切替ダンパ２６を図３に実線で示す循環位置にする。そして、送風装置本体２Ａのファンモータ９を駆動してファン１０を回転させると共に、吹出口ユニット３Ａのヒータ２５を駆動する。更に、分岐チャンバー３１のダンパモータ４５を駆動して、風路開閉ダンパ４４を図８に実線で示す開位置にする。
【０１３３】
送風装置本体２Ａにおいて、ファン１０が回転すると、吸込口ユニット４ａの循環・換気吸込グリル８から、浴室５１内の空気が吸込ダクト６を介して送風装置本体２Ａに吸い込まれる。また、吸込口ユニット４ｂの循環・換気吸込グリル８から、洗面所５６内の空気が吸込ダクト６を介して送風装置本体２Ａに吸い込まれる。
【０１３４】
送風装置本体２Ａに吸い込まれた浴室５１及び洗面所５６内の空気は、ファンケース１１のファン吹出口１１ｂから吹き出す。送風装置本体２Ａは、ファン吹出口１１ｂに分岐チャンバー３１の循環・換気吸込口４１が接続されているので、吸込口ユニット４ａ，４ｂから吸い込んだ浴室５１及び洗面所５６内の空気は、分岐チャンバー３１に送り込まれる。
【０１３５】
分岐チャンバー３１は、吹出ダクト５を介して吹出口ユニット３Ａ及び吹出口ユニット３Ｂと接続されているので、吸込口ユニット４ａ，４ｂから吸い込んだ浴室５１及び洗面所５６内の空気の一部が、吹出ダクト５を介して吹出口ユニット３Ａに送り込まれる。
【０１３６】
暖房運転モードでは、吹出口ユニット３Ａにおいて風路切替ダンパ２６が循環位置にあるので、吹出口ケース１７内には、吹出ダクト５と接続された循環・換気吸込口２０から循環吹出口２４へと連通した循環風路２８ａが形成されている。
【０１３７】
これにより、吹出口ユニット３Ａに送り込まれた空気は、循環風路２８ａを通って循環吹出グリル７Ａから浴室５１内に吹き出される。
【０１３８】
そして、ヒータ２５は循環吹出グリル７Ａの手前の循環吹出口２４に配置されるので、ヒータ２５に通電されて加熱されると、循環吹出口２４を通る空気が温められて循環吹出グリル７Ａから吹き出す。
【０１３９】
また、暖房運転モードでは、分岐チャンバー３１において風路開閉ダンパ４４が開位置にあるので、吸込口ユニット４ａ，４ｂから吸い込んだ浴室５１及び洗面所５６内の空気の一部が、吹出ダクト５を介して吹出口ユニット３Ｂに送り込まれる。そして、吹出口ユニット３Ｂではヒータ３７が駆動されているので、吹出口ユニット３Ｂに送り込まれた空気は、ヒータ３７により暖められて、循環吹出グリル７Ａから洗面所５６内及びトイレ５７内に吹き出される。
【０１４０】
これにより、暖房運転モードでは、浴室５１内の空気を循環させながら浴室５１内を暖房して、温度を上げることができる。また、暖房運転モードでは、湿度の高い浴室５１から吸い込んだ空気で洗面所５６及びトイレ５７の暖房が行われるので、浴室５１以外のサニタリー空間の加湿暖房を行うことができる。
【０１４１】
なお、暖房運転モードでは、分岐チャンバー３１の風路開閉ダンパ４４を制御して、浴室５１以外には、洗面所５６とトイレ５７のどちらか一方のみを暖房しても良い。また、浴室５１のみを暖房しても良い。
【０１４２】
浴室空調装置１Ｂの制御部６１Ｂは、操作部６２Ｂにおける操作で換気運転モードが選択されると、吹出口ユニット３Ａのダンパモータ２７を駆動して、風路切替ダンパ２６を図３に一点鎖線で示す換気位置にする。そして、送風装置本体２Ａのファンモータ９を駆動してファン１０を回転させる。更に、分岐チャンバー３１のダンパモータ４５を駆動して、風路開閉ダンパ４４を図８に一点鎖線で示す閉位置にする。換気運転モードでは、吹出口ユニット３Ａのヒータ２５は駆動しない。
【０１４３】
送風装置本体２Ａにおいて、ファン１０が回転すると、吸込口ユニット４ａ，４ｂの循環・換気吸込グリル８から、浴室５１及び洗面所５６内の空気が吸込ダクト６を介して送風装置本体２Ａに吸い込まれる。
【０１４４】
送風装置本体２Ａに吸い込まれた浴室５１及び洗面所５６内の空気は、上述したように分岐チャンバー３１に送り込まれる。換気運転モードでは、分岐チャンバー３１において風路開閉ダンパ４４が閉位置にあるので、分岐チャンバー３１に送り込まれた空気は、吹出ダクト５を介して吹出口ユニット３Ａに送り込まれる。
【０１４５】
換気運転モードでは、吹出口ユニット３Ａにおいて風路切替ダンパ２６が換気位置にあるので、吹出口ケース１７内には排気風路２８ｂが形成されている。
【０１４６】
これにより、吹出口ユニット３Ａに送り込まれた空気は、排気風路２８ｂを通り排気ダクト２２から屋外へ排出される。また、浴室５１内の空気が屋外に排出されることで、図示しない浴室ドア等に設けた空気取入口から、洗面所５６等の空気が吸い込まれる。
【０１４７】
これにより、換気運転モードでは、浴室５１内の湯気や湿気を排出して結露等を抑制し、カビの発生を抑えることができる。
【０１４８】
なお、浴室空調装置１Ｂでは、換気運転モードとイオンの発生を連動させた除菌換気運転モードを備えても良い。
【０１４９】
除菌換気運転モードでは、制御部６１Ｂは、吹出口ユニット３Ａのダンパモータ２７を駆動して、風路切替ダンパ２６を図３に二点鎖線で示す循環換気位置にする。そして、送風装置本体２Ａのファンモータ９を駆動してファン１０を回転させると共に、イオン発生器１６を駆動して正イオンと負イオンの双方を発生させる。更に、分岐チャンバー３１のダンパモータ４５を駆動して、風路開閉ダンパ４４を図８に実線で示す開位置にする。除菌換気運転モードでも、吹出口ユニット３Ａのヒータ２５は駆動しない。
【０１５０】
送風装置本体２Ａにおいて、ファン１０が回転すると、吸込口ユニット４ａ，４ｂの循環・換気吸込グリル８から、浴室５１及び洗面所５６内の空気が吸込ダクト６を介して送風装置本体２Ａに吸い込まれ、送風装置本体２Ａに吸い込まれた空気は分岐チャンバー３１に送り込まれる。
【０１５１】
除菌換気運転モードでは、分岐チャンバー３１において風路開閉ダンパ４４が開位置にあるので、分岐チャンバー３１に送り込まれた空気は、吹出ダクト５を介して吹出口ユニット３Ａと吹出口ユニット３Ｂの双方に送り込まれる。
【０１５２】
また、除菌換気運転モードでは、吹出口ユニット３Ａにおいて風路切替ダンパ２６が循環換気位置にあるので、吹出口ケース１７内には、循環風路２８ａと排気風路２８ｂの双方が形成されている。
【０１５３】
これにより、吹出口ユニット３Ａに送り込まれた空気の一部は、循環風路２８ａを通って循環吹出グリル７Ａから浴室５１内に吹き出される。そして、吹出口ユニット３Ａに送り込まれる空気には、イオン発生器１６で正イオンと負イオンの双方が供給されているので、浴室５１に略同数の正イオンと負イオンを含む空気が吹き出される。
【０１５４】
また、吹出口ユニット３Ａに送り込まれた空気の一部は、排気風路２８ｂを通り排気ダクト２２から屋外へ排出される。更に、浴室５１内の空気が屋外に排出されることで、図示しない浴室ドア等に設けた空気取入口から、洗面所５６等の空気が吸い込まれる。
【０１５５】
更に、吹出口ユニット３Ｂに送り込まれた空気は、循環吹出グリル７Ａから洗面所５６及びトイレ５７に吹き出される。そして、吹出口ユニット３Ｂに送り込まれる空気にも、イオン発生器１６で正イオンと負イオンの双方が供給されているので、洗面所５６及びトイレ５７に略同数の正イオンと負イオンを含む空気が吹き出される。
【０１５６】
これにより、除菌換気運転モードでは、浴室５１内の換気を行いながら、循環させる空気に含まれる浮遊細菌と、浴室５１内の空気中の浮遊細菌を不活性化して、カビ菌の繁殖を防ぐことができる。また、洗面所５６及びトイレ５７内の空気中の浮遊細菌を不活性化して、カビ菌の繁殖を防ぐことができる。
【０１５７】
なお、除菌換気運転モードでは、分岐チャンバー３１の風路開閉ダンパ４４を制御して、浴室５１以外には、洗面所５６とトイレ５７のどちらか一方のみにイオンを供給しても良い。また、浴室５１のみにイオンを供給しても良い。また、風路切替ダンパ２６を循環位置として、換気を行わず、室内空気の循環のみで正イオンと負イオンの双方を発生させるようにしても良い。
【０１５８】
浴室空調装置１Ｂの制御部６１Ｂは、操作部６２Ｂにおける操作で乾燥運転モードが選択されると、吹出口ユニット３Ａのダンパモータ２７を駆動して、風路切替ダンパ２６を循環換気位置にする。そして、送風装置本体２Ａのファンモータ９を駆動してファン１０を回転させると共に、吹出口ユニット３Ａのヒータ２５を駆動する。更に、分岐チャンバー３１のダンパモータ４５を駆動して、風路開閉ダンパ４４を閉位置にする。乾燥運転モードでは、吹出口ユニット３Ｂのヒータ３７は駆動しない。
【０１５９】
送風装置本体２Ａにおいて、ファン１０が回転すると、吸込口ユニット４ａ，４ｂの循環・換気吸込グリル８から、浴室５１及び洗面所５６内の空気が吸込ダクト６を介して送風装置本体２Ａに吸い込まれ、送風装置本体２Ａに吸い込まれた空気は分岐チャンバー３１に送り込まれる。
【０１６０】
乾燥運転モードでは、分岐チャンバー３１において風路開閉ダンパ４４が閉位置にあるので、分岐チャンバー３１に送り込まれた空気は、吹出ダクト５を介して吹出口ユニット３Ａに送り込まれる。
【０１６１】
また、乾燥運転モードでは、吹出口ユニット３Ａにおいて風路切替ダンパ２６が循環換気位置にあるので、吹出口ケース１７内には、循環風路２８ａと排気風路２８ｂの双方が形成されている。
【０１６２】
これにより、吹出口ユニット３Ａに送り込まれた空気の一部は、循環風路２８ａを通って循環吹出グリル７Ａから浴室５１内に吹き出される。そして、ヒータ２５は循環吹出グリル７Ａの手前の循環吹出口２４に配置されるので、ヒータ２５に通電されて加熱されると、循環吹出口２４を通る空気が温められて循環吹出グリル７Ａから吹き出す。
【０１６３】
また、吹出口ユニット３Ａに送り込まれた空気の一部は、排気風路２８ｂを通り排気ダクト２２から屋外へ排出される。更に、浴室５１内の空気が屋外に排出されることで、図示しない浴室ドア等に設けた空気取入口から、洗面所５６等の空気が吸い込まれる。
【０１６４】
これにより、乾燥運転モードでは、浴室５１内に温風を吹き出して、図示しないランドリパイプに掛けられた洗濯物を乾燥させることができる。また、浴室５１内の空気の一部は屋外に排気されて換気が行われるので、湿気等を排出して、洗濯物の乾燥を促進することができる。
【０１６５】
なお、乾燥運転モードの後に、上述した除菌換気運転モードを所定時間実行しても良い。乾燥運転モードの後に除菌換気運転モードを実行すれば、衣類等が掛けられている浴室５１内に、正イオンと負イオンの双方を含む空気が吹き出されるので、衣類等におけるカビ菌の増殖を防ぐことができる。
【０１６６】
浴室空調装置１Ｂの制御部６１Ｂは、操作部６２Ｂにおける操作で涼風運転モードが選択されると、吹出口ユニット３Ａのダンパモータ２７を駆動して、風路切替ダンパ２６を循環換気位置にする。そして、送風装置本体２Ａのファンモータ９を駆動してファン１０を回転させる。更に、分岐チャンバー３１のダンパモータ４５を駆動して、風路開閉ダンパ４４を閉位置にする。涼風運転モードでは、吹出口ユニット３Ａのヒータ２５及び吹出口ユニット３Ｂのヒータ３７は駆動しない。
【０１６７】
送風装置本体２Ａにおいて、ファン１０が回転すると、吸込口ユニット４ａ，４ｂの循環・換気吸込グリル８から、浴室５１及び洗面所５６内の空気が吸込ダクト６を介して送風装置本体２Ａに吸い込まれ、送風装置本体２Ａに吸い込まれた空気は分岐チャンバー３１に送り込まれる。
【０１６８】
涼風運転モードでは、分岐チャンバー３１において風路開閉ダンパ４４が閉位置にあるので、分岐チャンバー３１に送り込まれた空気は、吹出ダクト５を介して吹出口ユニット３Ａに送り込まれる。
【０１６９】
また、涼風運転モードでは、吹出口ユニット３Ａにおいて風路切替ダンパ２６が循環換気位置にあるので、吹出口ケース１７内には、循環風路２８ａと排気風路２８ｂの双方が形成されている。
【０１７０】
これにより、吹出口ユニット３Ａに送り込まれた空気の一部は、循環風路２８ａを通って循環吹出グリル７Ａから浴室５１内に吹き出される。涼風運転モードでは、ヒータ２５に通電しないことで、浴室５１内の温度に応じた風が循環吹出グリル７Ａから吹き出される。
【０１７１】
また、吹出口ユニット３Ａに送り込まれた空気の一部は、排気風路２８ｂを通り排気ダクト２２から屋外へ排出される。更に、浴室５１内の空気が屋外に排出されることで、図示しない浴室ドア等に設けた空気取入口から、洗面所５６等の空気が吸い込まれる。
【０１７２】
これにより、涼風運転モードでは、浴室５１内に涼風を吹き出して、扇風機として利用することができる。また、浴室５１内の空気の一部は屋外に排気されて換気が行われるので、湿気等を排出することができる。
【０１７３】
＜第２の実施の形態の浴室空調装置の効果＞
以上説明した第２の実施の形態の浴室空調装置１Ｂでは、送風装置本体２Ａに分岐チャンバー３１を接続することで、浴室５１以外の洗面所５６やトイレ５７等のサニタリー空間５５に、ヒータ３７を備えた吹出口ユニット３Ｂの設置が可能となる。
【０１７４】
これにより、第２の実施の形態の浴室空調装置１Ｂでは、第１の実施の形態の浴室空調装置１Ａで得られた効果に加えて、多室暖房を行うことができる。
【０１７５】
＜第３の実施の形態の浴室空調装置の構成例＞
図１０は第３の実施の形態の浴室空調装置の一例を示す構成図で、図１０（ａ）は、第３の実施の形態の浴室空調装置１Ｃを備えた浴室５１の天井パネル５２ａを下面から見た平面図である。また、図１０（ｂ）は、浴室空調装置１Ｃを備えた浴室５１の天井部分を矢印Ｃ方向から見た側面図である。
【０１７６】
第３の実施の形態の浴室空調装置１Ｃは、送風装置本体２Ａと、吹出口ユニット３Ｃと、吸込口ユニット４を備えると共に、吹出口ユニット３Ｃに電動ルーバを備えて、送風方向を切り替え可能にしたものである。
【０１７７】
なお、第３の実施の形態の浴室空調装置１Ｃを構成する送風装置本体２Ａは図２で説明した構成と同じであり、吸込口ユニット４は図４で説明した構成と同じであるので、ここでは説明を省略する。
【０１７８】
送風装置本体２Ａと吹出口ユニット３Ｃ及び吸込口ユニット４は独立した形態で、送風装置本体２Ａと吹出口ユニット３Ｃは、吹出ダクト５を介して接続される。また、送風装置本体２Ａと吸込口ユニット４は吸込ダクト６を介して接続される。
【０１７９】
吹出口ユニット３Ｃは空気吹出部の一例で、室内に空気を吹き出す循環吹出グリル７Ｂを備える。吹出口ユニット３Ｃが設置される浴室５１の天井パネル５２ａには、図示しない吹出グリル取付開口部が形成され、吹出口ユニット３Ｃは、循環吹出グリル７Ｂを浴室５１へ向けて露出させる形態で、浴室５１の天井パネル５２ａ上に設置される。
【０１８０】
なお、第３の実施の形態の浴室空調装置１Ｃの設置例は、第１の実施の形態の浴室空調装置１Ａと同じである。
【０１８１】
＜吹出口ユニットの構成例＞
図１１は吹出口ユニット３Ｃの内部構成の一例を示す断面図で、次に、第３の実施の形態の浴室空調装置１Ｃを構成する吹出口ユニット３Ｃの構成の詳細について説明する。
【０１８２】
吹出口ユニット３Ｃは、送風装置本体２Ａから吹き出す空気が通る風路が形成される吹出口ケース１７に、吹出ダクト５が接続される吹出ダクト取付部１８と、循環吹出グリル７Ｂが取り付けられる吹出グリル取付部１９を備える。
【０１８３】
吹出口ユニット３Ｃは、空気を吸い込む循環・換気吸込口２０が吹出口ケース１７の一の側面に形成され、循環・換気吸込口２０と連通して吹出ダクト取付部１８が取り付けられる。
【０１８４】
また、吹出口ユニット３Ｃは、空気を吹き出す換気吹出口２１が、循環・換気吸込口２０と対向して吹出口ケース１７の他の側面に形成され、換気吹出口２１と連通して、排気ダクト２２が接続される排気ダクト取付部２３が取り付けられる。
【０１８５】
更に、吹出口ユニット３Ｃは、空気を吹き出す循環吹出口２４が吹出口ケース１７の下部に形成され、循環吹出口２４に吹出グリル取付部１９が取り付けられると共に、循環吹出口２４にヒータ２５を備える。
【０１８６】
ヒータ２５は例えばＰＴＣヒータ等で構成され、ヒータ２５に通電されると、循環吹出口２４を通る空気が加熱され、吹出グリル取付部１９に取り付けられた循環吹出グリル７Ｂから温風が吹き出す。
【０１８７】
吹出口ユニット３Ｃは、吹出口ケース１７内に形成される風路を切り替える風路切替ダンパ２６を備える。風路切替ダンパ２６は、ダンパモータ２７により軸２６ａを支点に回転し、風路切替ダンパ２６が図１１に実線で示す循環位置にあると、吹出口ケース１７内には、循環・換気吸込口２０から循環吹出口２４へ連通した循環風路２８ａが形成される。
【０１８８】
また、風路切替ダンパ２６が図１１に一点鎖線で示す換気位置にあると、吹出口ケース１７内には、循環・換気吸込口２０から換気吹出口２１へ連通した排気風路２８ｂが形成される。
【０１８９】
更に、風路切替ダンパ２６が図１１に二点鎖線で示す循環換気位置にあると、吹出口ケース１７内には、循環・換気吸込口２０から循環吹出口２４へ連通した循環風路２８ａと、循環・換気吸込口２０から換気吹出口２１へ連通した排気風路２８ｂの双方が形成される。
【０１９０】
吹出口ユニット３Ｃは、人感センサ４６を備える。人感センサ４６は状態変化検出手段の一例で、浴室５１に面した例えば循環吹出グリル７Ｂに取り付けられ、浴室５１内の人の有無を検出する。
【０１９１】
図１２は循環吹出グリル７Ｂの一例を示す構成図である。吹出口ユニット３Ｃは、循環吹出グリル７Ｂに電動ルーバ４７を備える。電動ルーバ４７は風向切替手段の一例で、複数枚の整流板４８と、各整流板４８の向きを変えるルーバモータ４９と、各整流板４８に駆動力を伝達するリンク機構５０を備える。
【０１９２】
各整流板４８は、軸４８ａを支点に回転自在に支持され、１枚の整流板４８の軸４８ａにルーバモータ４９の軸が連結されている。ルーバモータ４９はステッピングモータで構成され、整流板４８の往復回転動作が可能である。
【０１９３】
各整流板４８には、リンク機構５０を構成するリンクレバー５０ａが取り付けられ、各リンクレバー５０ａがリンクロッド５０ｂで連結される。
【０１９４】
ルーバモータ４９が矢印ａ方向に回転駆動されると、ルーバモータ４９と連結された整流板４８が軸４８ａを支点に矢印ａ方向に回転すると共に、各整流板４８がリンクレバー５０ａ及びリンクロッド５０ｂで連結されているので、各整流板４８が軸４８ａを支点に矢印ａ方向に回転する。これにより、各整流板４８は、図１２（ｂ）に示すように一の方向、例えば、図１０に示す浴室５１の洗い場５１ａ方向に向く。
【０１９５】
これに対して、ルーバモータ４９が矢印ｂ方向に回転駆動されると、ルーバモータ４９と連結された整流板４８が軸４８ａを支点に矢印ｂ方向に回転すると共に、各整流板４８が軸４８ａを支点に矢印ｂ方向に回転する。これにより、各整流板４８は、図１２（ｃ）に示すように他の方向、例えば、図１０に示す浴室５１のランドリパイプ５１ｂ（浴槽５１ｃ）方向に向く。
【０１９６】
＜第３の実施の形態の浴室空調装置の制御機能例＞
図１３は第３の実施の形態の浴室空調装置１Ｃの制御系の一例を示す機能ブロック図である。
【０１９７】
浴室空調装置１Ｃは、ＣＰＵやメモリ等で構成される制御部６１Ｃに、操作部６２Ｃと、送風装置本体２Ａのファンモータ９及びイオン発生器１６と、吹出口ユニット３Ｃのヒータ２５、ダンパモータ２７、ルーバモータ４９及び人感センサ４６等が接続される。
【０１９８】
制御部６１Ｃは制御手段の一例で、図示しないメモリ等に格納されたプログラムに従って、例えば暖房運転モード、換気運転モード、乾燥運転モード及び涼風運転モードを実行する。これら運転モードは、入浴者等の利用者が操作部６２Ｃを操作すること等により選択され、制御部６１Ｃは、選択された運転モードを実行するプログラムと人感センサ４６での検出結果に従いファンモータ９、イオン発生器１６、ヒータ２５、ダンパモータ２７及びルーバモータ４９等を制御する。
【０１９９】
操作部６２Ｃは、浴室空調装置１Ｃ本体と独立したリモートコントロール装置で、例えば浴室５１に隣接した洗面所の壁面等に取り付けられ、送風装置本体２Ａ等に実装される制御部６１Ｃとは例えば電気ケーブルで接続される。
【０２００】
＜第３の実施の形態の浴室空調装置の動作例＞
次に、第３の実施の形態の浴室空調装置１Ｃの動作を各図を参照して説明する。浴室空調装置１Ｃの制御部６１Ｃは、操作部６２Ｃにおける操作で暖房運転モードが選択されると、吹出口ユニット３Ｃのダンパモータ２７を駆動して、風路切替ダンパ２６を循環位置にする。また、ルーバモータ４９を駆動して、循環吹出グリル７Ｂからの送風方向を洗い場５１ａ方向にする。そして、送風装置本体２Ａのファンモータ９を駆動してファン１０を回転させると共に、吹出口ユニット３Ｃのヒータ２５を駆動する。
【０２０１】
送風装置本体２Ａにおいて、ファン１０が回転すると、吸込口ユニット４の循環・換気吸込グリル８から、浴室５１内の空気が吸込ダクト６を介して送風装置本体２Ａに吸い込まれ、送風装置本体２Ａに吸い込まれた浴室５１内の空気は、吹出ダクト５を介して吹出口ユニット３Ｃに送り込まれる。
【０２０２】
暖房運転モードでは、吹出口ユニット３Ｃにおいて風路切替ダンパ２６が循環位置にあるので、吹出口ケース１７内には循環風路２８ａが形成されている。これにより、吹出口ユニット３Ｃに送り込まれた空気は、循環風路２８ａを通り、ヒータ２５に温められて循環吹出グリル７Ｂから浴室５１内に吹き出される。
【０２０３】
そして、循環吹出グリル７Ｂは、各整流板４８の向きが図１２（ｂ）に示すように洗い場５１ａ方向を向いているので、循環吹出グリル７Ｂから洗い場５１ａに向けて温風が吹き出される。
【０２０４】
これにより、暖房運転モードでは、浴室５１内の空気を循環させながら浴室５１内を暖房して、温度を上げることができる。また、暖房運転モードでは、温風の吹き出し方向が洗い場５１ａ方向であるので、洗い場５１ａの床面を温めることができ、入浴者が浴室５１に入った際に、足元が冷たく感じることを防ぐことができる。
【０２０５】
なお、暖房運転モードでは、制御部６１Ｃは、人感センサ４６の出力を監視して、人が居ることを検出した場合は、ルーバモータ４９を駆動して温風の吹き出し方向を洗い場５１ａからランドリパイプ５１ｂ（浴槽５１ｃ）方向に切り替えても良い。これにより、洗い場５１ａに居る入浴者に温風を当てないようにして、寒さを感じることを防ぐことができる。
【０２０６】
更に、状態変化検出手段として、例えば浴室５１の図示しない照明スイッチを利用し、浴室５１の照明がオンとなると、浴室５１に人（入浴者）がいると判断して、温風の吹き出し方向を洗い場５１ａからランドリパイプ５１ｂ方向に切り替えても良い。
【０２０７】
また、暖房運転モードとして、入浴中暖房運転モードを備え、操作部６２Ｃで入浴中暖房運転モードが選択されると、温風の吹出方向を洗い場５１ａ以外の浴槽方向等に切り替えるようにしても良い。
【０２０８】
浴室空調装置１Ｃの制御部６１Ｃは、操作部６２Ｃにおける操作で乾燥運転モードが選択されると、吹出口ユニット３Ｃのダンパモータ２７を駆動して、風路切替ダンパ２６を循環換気位置にする。また、ルーバモータ４９を駆動して、循環吹出グリル７Ｂからの送風方向をランドリパイプ５１ｂ方向にする。そして、送風装置本体２Ａのファンモータ９を駆動してファン１０を回転させると共に、吹出口ユニット３Ｃのヒータ２５を駆動する。
【０２０９】
送風装置本体２Ａにおいて、ファン１０が回転すると、吸込口ユニット４の循環・換気吸込グリル８から、浴室５１内の空気が吸込ダクト６を介して送風装置本体２Ａに吸い込まれ、送風装置本体２Ａに吸い込まれた浴室５１内の空気は、吹出ダクト５を介して吹出口ユニット３Ｃに送り込まれる。
【０２１０】
乾燥運転モードでは、吹出口ユニット３Ｃにおいて風路切替ダンパ２６が循環換気位置にあるので、吹出口ケース１７内には、循環風路２８ａと排気風路２８ｂの双方が形成されている。
【０２１１】
これにより、吹出口ユニット３Ｃに送り込まれた空気の一部は、循環風路２８ａを通り、ヒータ２５に温められて循環吹出グリル７Ｂから浴室５１内に吹き出される。
【０２１２】
そして、循環吹出グリル７Ｂは、各整流板４８の向きが図１２（ｃ）に示すようにランドリパイプ５１ｂ方向を向いているので、循環吹出グリル７Ｂからランドリパイプ５１ｂに向けて温風が吹き出される。
【０２１３】
また、吹出口ユニット３Ｃに送り込まれた空気の一部は、排気風路２８ｂを通り排気ダクト２２から屋外へ排出される。更に、浴室５１内の空気が屋外に排出されることで、図示しない浴室ドア等に設けた空気取入口から、洗面所等の空気が吸い込まれる。
【０２１４】
これにより、乾燥運転モードでは、浴室５１内に温風を吹き出して、ランドリパイプ５１ｂに掛けられた図示しない衣類等の洗濯物を乾燥させることができる。また、乾燥運転モードでは、温風の吹き出し方向がランドリパイプ５１ｂ方向であるので、ランドリパイプ５１ｂに掛けられた洗濯物を効率良く乾燥させることができる。
【０２１５】
ここで、温風の吹出方向はランドリパイプ５１ｂ方向に固定せずに、ルーバモータ４９を駆動して、整流板４８をスイングさせるようにしても良い。
【０２１６】
更に、浴室５１内の空気の一部は屋外に排気されて換気が行われるので、湿気等を排出して、洗濯物の乾燥を促進することができる。
【０２１７】
なお、第３の実施の形態の浴室空調装置１Ｃにおいて、換気運転モードは第１の実施の形態の浴室空調装置１Ａと同じ動作で行われる。このため、第３の実施の形態の浴室空調装置１Ｃでも、乾燥運転モードの後に、上述した除菌換気運転モードを所定時間実行しても良い。乾燥運転モードの後に除菌換気運転モードを実行すれば、衣類等が掛けられている浴室５１内に、正イオンと負イオンの双方を含む空気が吹き出されるので、衣類等におけるカビ菌の増殖を防ぐことができる。
【０２１８】
また、第３の実施の形態の浴室空調装置１Ｃにおいて、涼風運転モードは、送風の吹き出し方向をランドリパイプ５１ｂ（浴槽５１ｃ）方向に向ける以外は、第１の実施の形態の浴室空調装置１Ａと同じ動作で行われる。
【０２１９】
＜第３の実施の形態の浴室空調装置の効果＞
以上説明した第３の実施の形態の浴室空調装置１Ｃでは、吹出口ユニット３Ｃの循環吹出グリル７Ｂに電動ルーバ４７を備えることで、第１の実施の形態の浴室空調装置１Ａで得られた効果に加えて、運転モードに応じて最適な箇所に送風を行うことができる。また、送風方向が選択できることから、吹出口ユニット３Ｃの設置位置の自由度が更に向上する。
【０２２０】
更に、第３の実施の形態の浴室空調装置１Ｃでは、人感センサ４６等を備え、人の有無で暖房運転時の温風の吹き出し方向を切り替えることができるので、入浴者に温風が直接当たらないようにして、寒さを感じることを抑えることができる。
【０２２１】
＜第４の実施の形態の浴室空調装置の構成例＞
図１４は第４の実施の形態の浴室空調装置の一例を示す構成図で、図１４（ａ）は、第４の実施の形態の浴室空調装置１Ｄを備えた浴室５１の天井パネル５２ａを下面から見た平面図である。また、図１４（ｂ）は、浴室空調装置１Ｄを備えた浴室５１の天井部分を矢印Ｄ方向から見た側面図である。
【０２２２】
第４の実施の形態の浴室空調装置１Ｄは、送風装置本体２Ａと、吹出口ユニット３Ｄと、吸込口ユニット４及びヒータダンパユニット７１を備え、吹出口ユニット３Ｄを、浴室５１の床面の近くに配置したものである。
【０２２３】
なお、第４の実施の形態の浴室空調装置１Ｄを構成する送風装置本体２Ａは図２で説明した構成と同じであり、吸込口ユニット４は図４で説明した構成と同じであるので、ここでは説明を省略する。
【０２２４】
送風装置本体２Ａと吹出口ユニット３Ｄ、吸込口ユニット４及びヒータダンパユニット７１は独立した形態で、送風装置本体２Ａとヒータダンパユニット７１は吹出ダクト５を介して接続され、ヒータダンパユニット７１と吹出口ユニット３Ｄは吹出ダクト５を介して接続される。また、送風装置本体２Ａと吸込口ユニット４は吸込ダクト６を介して接続される。
【０２２５】
吹出口ユニット３Ｄは空気吹出部の一例で、室内に空気を吹き出す循環吹出グリル７Ｃを備える。吹出口ユニット３Ｄが設置される浴室５１の壁面パネル５２ｂには、図示しない吹出グリル取付開口部が形成され、吹出口ユニット３Ｄは、循環吹出グリル７Ｃを浴室５１へ向けて露出させる形態で、浴室５１の壁面パネル５２ｂに設置される。吹出口ユニット３Ｄは、吹出ダクト５と循環吹出グリル７Ｃを接続する構成を備えれば良いので、例えば、図４で説明した吸込口ユニット４と同じ構成でも良い。
【０２２６】
＜ヒータダンパユニットの構成例＞
図１５はヒータダンパユニット７１の内部構成の一例を示す断面図で、次に、第４の実施の形態の浴室空調装置１Ｄを構成するヒータダンパユニット７１の構成の詳細について説明する。
【０２２７】
ヒータダンパユニット７１は、送風装置本体２Ａから吹き出す空気が通る風路が形成されるヒータダンパケース７２に、送風装置本体２Ａとつながる吹出ダクト５が接続される吹出ダクト取付部７３と、吹出口ユニット３Ｄとつながる吹出ダクト５が接続される吹出ダクト取付部７４を備える。
【０２２８】
ヒータダンパユニット７１は、空気を吸い込む循環・換気吸込口７５がヒータダンパケース７２の一の側面に形成され、循環・換気吸込口７５に吹出ダクト取付部７３が取り付けられる。
【０２２９】
また、ヒータダンパユニット７１は、空気を吹き出す循環吹出口７６がヒータダンパケース７２の他の側面に形成され、循環吹出口７６に吹出ダクト取付部７４が取り付けられると共に、循環吹出口７６にヒータ７７を備える。ヒータ７７は加熱手段の一例で、例えばＰＴＣヒータ等で構成され、ヒータ７７に通電されると、循環吹出口７６を通る空気が加熱される。
【０２３０】
更に、ヒータダンパユニット７１は、空気を吹き出す換気吹出口７８がヒータダンパケース７２の他の側面に形成され、排気ダクト２２が接続される排気ダクト取付部７９が換気吹出口７８に取り付けられる。
【０２３１】
ヒータダンパユニット７１は、ヒータダンパケース７２内に形成される風路を切り替える風路切替ダンパ８０を備える。風路切替ダンパ８０は風路切替手段の一例で、ダンパモータ８１により軸８０ａを支点に回転し、風路切替ダンパ８０が図１５に実線で示す循環位置にあると、ヒータダンパケース７２内には、循環・換気吸込口７５から循環吹出口７６へ連通した循環風路８２ａが形成される。
【０２３２】
また、風路切替ダンパ８０が図１５に一点鎖線で示す換気位置にあると、ヒータダンパケース７２内には、循環・換気吸込口７５から換気吹出口７８へ連通した排気風路８２ｂが形成される。
【０２３３】
更に、風路切替ダンパ８０が図１５に二点鎖線で示す循環換気位置にあると、ヒータダンパケース７２内には、循環・換気吸込口７５から循環吹出口７６へ連通した循環風路８２ａと、循環・換気吸込口７５から換気吹出口７８へ連通した排気風路８２ｂの双方が形成される。
【０２３４】
＜第４の実施の形態の浴室空調装置の設置例＞
次に、図１４等を参照して第４の実施の形態の浴室空調装置１Ｄの設置例について説明する。ここで、浴室５１に設置される送風装置本体２Ａと吸込口ユニット４の設置例は、第１の実施の形態の浴室空調装置１Ａと同じである。
【０２３５】
浴室５１の壁面パネル５２ｂには、吹出口ユニット３Ｄの設置位置に図示しない吹出グリル取付開口部が開けられ、吹出口ユニット３Ｄは、図示しない枠体等を介して壁面パネル５２ｂに設置される。そして、吹出口ユニット３Ｄは循環吹出グリル７Ｃが取り付けられる。
【０２３６】
これにより、浴室空調装置１Ｄは、循環吹出グリル７Ｃを浴室５１側へ露出させる形態で、吹出口ユニット３Ｄが浴室５１の壁面パネル５２ｂに設置される。
【０２３７】
ここで、吹出口ユニット３Ｄの設置位置は、浴室５１の床面近くに設定され、循環吹出グリル７Ｃは、浴室５１の床面近くに配置される。
【０２３８】
＜第４の実施の形態の浴室空調装置の制御機能例＞
図１６は第４の実施の形態の浴室空調装置１Ｄの制御系の一例を示す機能ブロック図である。
【０２３９】
浴室空調装置１Ｄは、ＣＰＵやメモリ等で構成される制御部６１Ｄに、操作部６２Ｄと、送風装置本体２Ａのファンモータ９及びイオン発生器１６と、ヒータダンパユニット７１のヒータ７７及びダンパモータ８１等が接続される。
【０２４０】
制御部６１Ｄは制御手段の一例で、図示しないメモリ等に格納されたプログラムに従って、例えば暖房運転モード、換気運転モード、乾燥運転モード及び涼風運転モードを実行する。これら運転モードは、入浴者等の利用者が操作部６２Ｄを操作すること等により選択され、制御部６１Ｄは、選択された運転モードを実行するプログラムに従いファンモータ９、イオン発生器１６、ヒータ７７及びダンパモータ８１等を制御する。
【０２４１】
操作部６２Ｄは、浴室空調装置１Ｄ本体と独立したリモートコントロール装置で、例えば浴室５１に隣接した洗面所の壁面等に取り付けられ、送風装置本体２Ａ等に実装される制御部６１Ｄとは例えば電気ケーブルで接続される。
【０２４２】
＜第４の実施の形態の浴室空調装置の動作例＞
次に、第４の実施の形態の浴室空調装置１Ｄの動作を各図を参照して説明する。浴室空調装置１Ｄの制御部６１Ｄは、操作部６２Ｄにおける操作で暖房運転モードが選択されると、ヒータダンパユニット７１のダンパモータ８１を駆動して、風路切替ダンパ８０を図１５に実線で示す循環位置にする。そして、送風装置本体２Ａのファンモータ９を駆動してファン１０を回転させると共に、ヒータダンパユニット７１のヒータ７７を駆動する。
【０２４３】
送風装置本体２Ａにおいて、ファン１０が回転すると、吸込口ユニット４の循環・換気吸込グリル８から、浴室５１内の空気が吸込ダクト６を介して送風装置本体２Ａに吸い込まれ、送風装置本体２Ａに吸い込まれた浴室５１内の空気は、吹出ダクト５を介してヒータダンパユニット７１に送り込まれる。
【０２４４】
暖房運転モードでは、ヒータダンパユニット７１において風路切替ダンパ８０が循環位置にあるので、ヒータダンパケース７２内には循環風路８２ａが形成されている。これにより、ヒータダンパユニット７１に送り込まれた空気は、循環風路８２ａを通り、ヒータ７７に温められて、吹出ダクト５を介して吹出口ユニット３Ｄに送り込まれる。
【０２４５】
そして、吹出口ユニット３Ｄに送り込まれた温められた空気は、浴室５１の床面付近で循環吹出グリル７Ｃから吹き出される。
【０２４６】
これにより、暖房運転モードでは、浴室５１内の空気を循環させながら浴室５１内を暖房して、温度を上げることができる。また、循環吹出グリル７Ｃが浴室５１の床面近くに配置されるので、洗い場５１ａの床面付近を温めることができ、入浴者が浴室５１に入った際に、足元が冷たく感じることを防ぐことができる。
【０２４７】
浴室空調装置１Ｄの制御部６１Ｄは、操作部６２Ｄにおける操作で換気運転モードが選択されると、ヒータダンパユニット７１のダンパモータ８１を駆動して、風路切替ダンパ８０を図１５に一点鎖線で示す換気位置にする。そして、送風装置本体２Ａのファンモータ９を駆動してファン１０を回転させる。換気運転モードでは、ヒータダンパユニット７１のヒータ７７は駆動しない。
【０２４８】
送風装置本体２Ａにおいて、ファン１０が回転すると、吸込口ユニット４の循環・換気吸込グリル８から、浴室５１内の空気が吸込ダクト６を介して送風装置本体２Ａに吸い込まれ、送風装置本体２Ａに吸い込まれた浴室５１内の空気は、吹出ダクト５を介してヒータダンパユニット７１に送り込まれる。
【０２４９】
換気運転モードでは、ヒータダンパユニット７１において風路切替ダンパ８０が換気位置にあるので、ヒータダンパケース７２内には、排気風路８２ｂが形成されている。
【０２５０】
これにより、ヒータダンパユニット７１に送り込まれた空気は、排気風路８２ｂを通り排気ダクト２２から屋外へ排出される。更に、浴室５１内の空気が屋外に排出されることで、図示しない浴室ドア等に設けた空気取入口から、洗面所等の空気が吸い込まれる。
【０２５１】
これにより、換気運転モードでは、浴室５１内の湯気や湿気を排出して結露等を抑制し、カビの発生を抑えることができる。なお、浴室空調装置１Ｄでも、換気運転モードとイオンの発生を連動させた除菌換気運転モードを備えても良い。
【０２５２】
浴室空調装置１Ｄの制御部６１Ｄは、操作部６２Ｄにおける操作で乾燥運転モードが選択されると、ヒータダンパユニット７１のダンパモータ８１を駆動して、風路切替ダンパ２６を図１５に二点鎖線で示す循環換気位置にする。そして、送風装置本体２Ａのファンモータ９を駆動してファン１０を回転させると共に、ヒータダンパユニット７１のヒータ７７を駆動する。
【０２５３】
送風装置本体２Ａにおいて、ファン１０が回転すると、吸込口ユニット４の循環・換気吸込グリル８から、浴室５１内の空気が吸込ダクト６を介して送風装置本体２Ａに吸い込まれ、送風装置本体２Ａに吸い込まれた浴室５１内の空気は、吹出ダクト５を介してヒータダンパユニット７１に送り込まれる。
【０２５４】
乾燥運転モードでは、ヒータダンパユニット７１において風路切替ダンパ８０が循環換気位置にあるので、ヒータダンパケース７２内には、循環風路８２ａと排気風路８２ｂの双方が形成されている。
【０２５５】
これにより、ヒータダンパユニット７１に送り込まれた空気の一部は、循環風路８２ａを通り、ヒータ７７に温められて、吹出ダクト５を介して吹出口ユニット３Ｄに送り込まれる。そして、吹出口ユニット３Ｄに送り込まれた温められた空気は、浴室５１の床面付近で循環吹出グリル７Ｃから吹き出される。
【０２５６】
また、ヒータダンパユニット７１に送り込まれた空気の一部は、排気風路８２ｂを通り排気ダクト２２から屋外へ排出される。更に、浴室５１内の空気が屋外に排出されることで、図示しない浴室ドア等に設けた空気取入口から、洗面所等の空気が吸い込まれる。
【０２５７】
これにより、乾燥運転モードでは、浴室５１内に温風を吹き出して、ランドリパイプ５１ｂに掛けられた図示しない衣類等の洗濯物を乾燥させることができる。また、浴室５１内の空気の一部は屋外に排気されて換気が行われるので、湿気等を排出して、洗濯物の乾燥を促進することができる。
【０２５８】
なお、第４の実施の形態の浴室空調装置１Ｄでも、乾燥運転モードの後に、上述した除菌換気運転モードを所定時間実行しても良い。乾燥運転モードの後に除菌換気運転モードを実行すれば、衣類等が掛けられている浴室５１内に、正イオンと負イオンの双方を含む空気が吹き出されるので、衣類等におけるカビ菌の増殖を防ぐことができる。
【０２５９】
浴室空調装置１Ｄの制御部６１Ｄは、操作部６２Ｄにおける操作で涼風運転モードが選択されると、ヒータダンパユニット７１のダンパモータ８１を駆動して、風路切替ダンパ２６を図１５に二点鎖線で示す循環換気位置にする。そして、送風装置本体２Ａのファンモータ９を駆動してファン１０を回転させる。涼風運転モードでは、ヒータダンパユニット７１のヒータ７７は駆動しない。
【０２６０】
送風装置本体２Ａにおいて、ファン１０が回転すると、吸込口ユニット４の循環・換気吸込グリル８から、浴室５１内の空気が吸込ダクト６を介して送風装置本体２Ａに吸い込まれ、送風装置本体２Ａに吸い込まれた浴室５１内の空気は、吹出ダクト５を介してヒータダンパユニット７１に送り込まれる。
【０２６１】
涼風運転モードでは、ヒータダンパユニット７１において風路切替ダンパ８０が循環換気位置にあるので、ヒータダンパケース７２内には、循環風路８２ａと排気風路８２ｂの双方が形成されている。
【０２６２】
これにより、ヒータダンパユニット７１に送り込まれた空気の一部は、循環風路８２ａを通り、吹出ダクト５を介して吹出口ユニット３Ｄに送り込まれる。そして、吹出口ユニット３Ｄに送り込まれた空気は、浴室５１の床面付近で循環吹出グリル７Ｃから吹き出される。
【０２６３】
また、ヒータダンパユニット７１に送り込まれた空気の一部は、排気風路８２ｂを通り排気ダクト２２から屋外へ排出される。更に、浴室５１内の空気が屋外に排出されることで、図示しない浴室ドア等に設けた空気取入口から、洗面所等の空気が吸い込まれる。
【０２６４】
これにより、涼風運転モードでは、浴室５１内に涼風を吹き出して、扇風機として利用することができる。また、浴室５１内の空気の一部は屋外に排気されて換気が行われるので、湿気等を排出することができる。
【０２６５】
＜第４の実施の形態の浴室空調装置の効果＞
以上説明した第４の実施の形態の浴室空調装置１Ｂでは、吹出口ユニット３Ｄを浴室５１の床面付近に配置したので、第１の実施の形態の浴室空調装置１Ａで得られた効果に加えて、暖房運転モードでは、洗い場５１ａの床面付近を温めることができ、入浴者が浴室５１に入った際に、足元が冷たく感じることを防ぐことができる。
【０２６６】
また、乾燥運転モードでは、浴室５１の下方から温められた空気が供給され、浴室５１の上方から空気が吸い込まれるので、ランドリパイプ５１ｂに掛けられた洗濯物全体に温風が通り易くなり、乾燥を促進することができる。
【０２６７】
なお、第４の実施の形態の浴室空調装置１Ｄでは、ヒータダンパユニット７１にヒータを備えずに、吹出口ユニット３Ｄにヒータを備えても良い。また、吸込口ユニット４を壁面パネル５２ｂの上方に配置しても良い。
【産業上の利用可能性】
【０２６８】
本発明は、浴室換気乾燥暖房機等と称され、浴室内の暖房及び換気、洗濯物の乾燥等の機能を有する浴室用の空調装置に適用される。
【図面の簡単な説明】
【０２６９】
【図１】第１の実施の形態の浴室空調装置の一例を示す構成図である。
【図２】送風装置本体の内部構成の一例を示す断面図である。
【図３】吹出口ユニットの内部構成の一例を示す断面図である。
【図４】吸込口ユニットの内部構成の一例を示す断面図である。
【図５】第１の実施の形態の浴室空調装置の制御系の一例を示す機能ブロック図である。
【図６】第２の実施の形態の浴室空調装置の一例を示す構成図である。
【図７】吹出口ユニットの内部構成の一例を示す断面図である。
【図８】分岐チャンバーの内部構成の一例を示す断面図である。
【図９】第２の実施の形態の浴室空調装置の制御系の一例を示す機能ブロック図である。
【図１０】第３の実施の形態の浴室空調装置の一例を示す構成図である。
【図１１】吹出口ユニットの内部構成の一例を示す断面図である。
【図１２】循環吹出グリルの一例を示す構成図である。
【図１３】第３の実施の形態の浴室空調装置の制御系の一例を示す機能ブロック図である。
【図１４】第４の実施の形態の浴室空調装置の一例を示す構成図である。
【図１５】ヒータダンパユニットの内部構成の一例を示す断面図である。
【図１６】第４の実施の形態の浴室空調装置の制御系の一例を示す機能ブロック図である。
【符号の説明】
【０２７０】
１Ａ，１Ｂ，１Ｃ，１Ｄ・・・浴室空調装置、２Ａ・・・送風装置本体、３Ａ，３Ｂ，３Ｃ，３Ｄ・・・吹出口ユニット、４・・・吸込口ユニット、５・・・吹出ダクト、６・・・吸込ダクト、７Ａ，７Ｂ，７Ｃ・・・循環吹出グリル、８・・・循環・換気吸込グリル、９・・・ファンモータ、１０・・・ファン、１１・・・ファンケース、１１ａ・・・ファン吸込口、１１ｂ・・・ファン吹出口、１２・・・本体ケース、１３・・・吹出ダクト取付部、１４・・・吸込風路、１５・・・吸込ダクト取付部、１６・・・イオン発生器、１７・・・吹出口ケース、１８・・・吹出ダクト取付部、１９・・・吹出グリル取付部、２０・・・循環・換気吸込口、２１・・・換気吹出口、２２・・・排気ダクト、２３・・・排気ダクト取付部、２４・・・循環吹出口、２５・・・ヒータ、２６・・・風路切替ダンパ、２７・・・ダンパモータ、２８ａ・・・循環風路、２８ｂ・・・排気風路、２９・・・チャンバー、３０・・・吸込グリル取付部、３１・・・分岐チャンバー、３２・・・吹出口ケース、３３・・・吹出ダクト取付部、３４・・・吹出グリル取付部、３５・・・循環吸込口、３６・・・循環吹出口、３７・・・ヒータ、３８・・・分岐ケース、３９・・・主吹出ダクト取付部、４０・・・副吹出ダクト取付部、４１・・・循環・換気吸込口、４２・・・循環・換気吹出口、４３・・・循環吹出口、４４・・・風路開閉ダンパ、４５・・・ダンパモータ、４６・・・人感センサ、４７・・・電動ルーバ、４８・・・整流板、４８ａ・・・軸、４９・・・ルーバモータ、５０・・・リンク機構、５０ａ・・・リンクレバー、５０ｂ・・・リンクロッド、５１・・・浴室、５１ａ・・・洗い場、５１ｂ・・・ランドリパイプ、５１ｃ・・・浴槽、５２・・・天井パネル、５３ａ・・・吹出グリル取付開口部、５３ｂ・・・吸込グリル取付開口部、５５・・・サニタリー空間、５６・・・洗面所、５６ａ・・・天井パネル、５７・・・トイレ、５７ａ・・・天井パネル、６１Ａ，６１Ｂ，６１Ｃ，６１Ｄ・・・制御部、６２Ａ，６２Ｂ，６２Ｃ，６２Ｄ・・・操作部、７１・・・ヒータダンパユニット、７２・・・ヒータダンパケース、７３・・・吹出ダクト取付部、７４・・・吹出ダクト取付部、７５・・・循環・換気吸込口、７６・・・循環吹出口、７７・・・ヒータ、７８・・・換気吹出口、７９・・・排気ダクト取付部、８０・・・風路切替ダンパ、８１・・・ダンパモータ、８２ａ・・・循環風路、８２ｂ・・・排気風路
【図１】
0004720345.tif 000002
【図２】
0004720345.tif 000003
【図３】
0004720345.tif 000004
【図４】
0004720345.tif 000005
【図５】
0004720345.tif 000006
【図６】
0004720345.tif 000007
【図７】
0004720345.tif 000008
【図８】
0004720345.tif 000009
【図９】
0004720345.tif 000010
【図１０】
0004720345.tif 000011
【図１１】
0004720345.tif 000012
【図１２】
0004720345.tif 000013
【図１３】
0004720345.tif 000014
【図１４】
0004720345.tif 000015
【図１５】
0004720345.tif 000016
【図１６】
0004720345.tif 000017